(57)【要約】      （修正有）【課題】滑り防止効果と断熱効果とを有するカップを提供する。【解決手段】カップ本体１０と、囲繞薄板片２０とを有する。カップ本体１０は、周壁１１を有する。囲繞薄板片２０は周壁１１周りに取り付けられ、外面と、多数の突起２２とを有する。多数の突起２２は囲繞薄板片２０の外面に形成される。多数の突起２２は、規則的に千鳥格子状に配置される。囲繞薄板片２０と周壁１１との間には、多数の中空空間が間隔をあけて形成されている。多数の突起２２によって滑り止め効果を向上することができるため、使用者はしっかりと囲繞薄板片２０を持つことができる。囲繞薄板片２０と周壁１１との間に多数の空間が形成されるため、カップは優れた断熱効果を有する。【選択図】図１
0003201121.tif 000002
【実用新案登録請求の範囲】
【請求項１】
外面と、底縁と、上縁とを有する周壁と、同周壁の前記底縁に接続される底部とによって形成されるカップ本体と、同カップ本体の前記周壁の外面周りに取り付けられる囲繞薄板片とを具備する滑り防止効果と断熱効果とを有するカップであって、
前記囲繞薄板片は、外面と、内面と、前記外面に形成される多数の突起とを有し、同突起は規則的に千鳥格子状に配置され、前記囲繞薄板片と前記周壁との間には、多数の中空空間が間隔をあけて形成されていることを特徴とする滑り防止効果と断熱効果とを有するカップ。  
【請求項２】
前記囲繞薄板片は、前記周壁に対応した形状と寸法とを有し、展開状態において扇状をなし、かつ、２つの側縁と、同２つの側縁にそれぞれ形成され互いに重ねて接合される２つの接合縁を有し、
前記多数の突起は、前記２つの接合縁を除く前記囲繞薄板片の外面全てに形成されることを特徴とする請求項１に記載の滑り防止効果と断熱効果とを有するカップ。
【請求項３】
前記各突起は長矩形形状を有することを特徴とする請求項１に記載の滑り防止効果と断熱効果とを有するカップ。
【請求項４】
前記各突起は長矩形形状を有することを特徴とする請求項２に記載の滑り防止効果と断熱効果とを有するカップ。
【考案の詳細な説明】
【技術分野】
【０００１】
本考案は、カップ、特に、使用者がカップをしっかりと持つことができ、かつ、カップに入っている熱い飲料によって使用者が火傷しないように、滑り防止効果と断熱効果とを有するカップに関する。
【背景技術】
【０００２】
図５を参照して説明すると、従来の紙カップはカップ本体９０を有し、同カップ本体９０は、周壁９１と、底部９２と、縁部９３とからなる。周壁９１は折り曲げて接着することによって、筒状に形成される。周壁９１は、底縁と、上縁とを有する。底部９２は周壁９１の底縁に接続される。縁部９３は周壁９１の上縁に接続され、筒状に巻かれる。縁部９３をこのように筒状に巻くことにより、カップ本体９０の構造強度を向上することができる。更に、カップ本体９０が湿ったり損傷したりするのを防止するために、防水膜を周壁９１の外面及び内面に塗膜する。防水膜は、底部９２の外面及び内面にも塗膜される。
【０００３】
しかし、 従来の紙カップのカップ本体９０は、その使用に際して以下の問題を有する。
１．周壁９１の外面は平坦で滑りやすいので、周壁９１は滑り止め効果を有しない。カップ９０に飲料、特に冷たい飲料が入っているときに、カップ本体９０が湿り、使用者の手から落ちることがある。
２．周壁９１が単層構造なので、カップ本体９０の構造強度が不十分であり、カップ本体９０の形状が変形しやすい。更に、カップ本体９０の断熱効果が低いため、カップ本体に熱い飲料 (５０℃以上) が入っているときに、使用者がカップ本体９０内の熱い飲料によって火傷するおそれがある。 
３．周壁９１の外面が平坦なので、周壁９１に平坦な印刷しか施すことができず、これにより、印刷した外観が単調で変化のないものとなる。
【０００４】
本考案は、上記した従来のカップの問題を解決するためになされたものであり、本考案は、上記した問題を軽減もしくは解決することができる、滑り防止効果と断熱効果とを有するカップを提供する。 
【先行技術文献】
【特許文献】
【０００５】
【特許文献１】特開２０００−４３９５４号公報
【考案の概要】
【０００６】
本考案は、使用者がカップをしっかりと持つことができ、かつ、カップに入っている熱い飲料によって使用者が火傷しないように、滑り防止効果と断熱効果とを有するカップを提供することを主な目的とする。
【０００７】
滑り防止効果と断熱効果とを有するカップは、カップ本体と、囲繞薄板片とを有する。カップ本体は周壁を有する。囲繞薄板片は周壁周りに取り付けられ、外面と、多数の突起とを有する。多数の突起は囲繞薄板片の外面に形成される。多数の突起は、規則的に千鳥格子状に配置される。囲繞薄板片と周壁との間には、多数の中空空間が、間隔をあけて形成されている。多数の突起によって、カップは滑り止め効果を向上できるため、使用者はしっかりと囲繞薄板片を持つことができる。囲繞薄板片と周壁との間に多数の空間が形成されるため、カップは優れた断熱効果を有する。そのため、カップに熱い飲料が入っているときに、使用者は火傷することなく、安全にカップを持つことができる。
【０００８】
この考案の他の目的、効果及び新規な特徴は、以下の詳細な説明と添付図面とを参照することによって、より明らかになる。
【図面の簡単な説明】
【０００９】
【図１】本考案に係る滑り防止効果と断熱効果とを有するカップの斜視図である。
【図２】図１に示すカップの分解斜視図である。
【図３】（Ａ）は図１に示すカップの断面平面図である。（Ｂ）は（Ａ）に示すカップの拡大断面平面図である。
【図４】図１に示すカップの使用状態を示す斜視図である。
【図５】従来技術に係る従来の紙カップの斜視図である。
【考案を実施するための形態】
【００１０】
図１〜図３（Ａ）を参照して説明すると、本考案に係る滑り防止効果と断熱効果とを有するカップは、カップ本体１０と、囲繞薄板片２０とを有する。
【００１１】
カップ本体１０は、周壁１１と、 底部１２と、 縁部１３とを有する。 周壁１１は折り曲げて接着することによって、筒状に形成される。周壁１１は、外面と、 底縁と、上縁とを有する。底部１２は周壁１１の底縁に接続される。縁部１３は周壁１１の上縁に接続され、筒状に巻かれる。縁部１３をこのように筒状に巻くことにより、カップ本体１０の構造強度を向上することができる。カップ本体１０の構造デザインは、従来の紙カップのカップ本体９０と同様である。カップ本体１０は、紙、プラスチック、又は他の材料から形成することができる。
【００１２】
図３（Ａ）、 図３（Ｂ）及び図４を参照して説明すると、 囲繞薄板片２０は周壁１１の外面周りに取り付けられ、周壁１１に対応した形状と寸法とを有し、展開状態において扇状をなす。囲繞薄板片２０は、外面と、 内面と、 ２つの側縁と、 ２つの接合縁２１と、 多数の突起２２と、 多数の凹部２３と、基面２４とを有する。２つの接合縁２１は２つの側縁にそれぞれ形成され、互いに重ねて接合される。
【００１３】
多数の突起２２は、２つの接合縁２１を除く囲繞薄板片２０の外面全てに形成される。圧縮成形又はプレス加工によって、多数の突起２２を、規則的に千鳥格子状に配置する。図３（Ａ）及び図３（Ｂ）を参照して説明すると、 凹部２３が囲繞薄板片２０の内面に形成され、凹部２３は位置的に突起２２に対応する。凹部２３は中空である。基面２４は周壁１１の外面周りに接着して取り付けられる。多数の突起２２ は、基面２４から半径方向外方に向けて突出する。図３（Ａ）及び図３（Ｂ）を参照して説明すると、多数の中空空間２５が囲繞薄板片２０の内面と周壁１１の外面との間に間隔をあけて形成される。各突起２２は、長矩形形状を有することが好ましい。
【００１４】
図３（Ａ）、 図３（Ｂ）及び図４を参照して説明すると、囲繞薄板片２０が周壁１１の外面周りに取り付けられているので、カップの構造強度が向上する。突起２２ は、規則的に千鳥格子状に配置される。従って、突起２２によってカップの滑り止め効果が向上するため、使用者は囲繞薄板片２０をしっかりと持つことができる。カップが湿ったり滑りやすくなったりしないので、カップが使用者の手から容易に落ちることがない。囲繞薄板片２０と周壁１１との間に中空空間２５が形成されているため、カップは優れた断熱効果を有する。そのため、カップに熱い飲料 (５０℃以上)が入っているときに、使用者は火傷することなく、安全にカップを持つことができる。従って、カップの有用性を著しく向上することができる。
【００１５】
本考案の滑り防止効果と断熱効果とを有するカップは、以下の効果を有する。
１．突起２２は、規則的に千鳥格子状に配置される。従って、突起２２によって滑り止め効果を向上することができるため、使用者は、しっかりと囲繞薄板片２０を持つことができる。カップが湿ったり滑りやすくなったりしないので、カップが使用者の手から容易に落ちることがない。
２．中空空間２５が囲繞薄板片２０と周壁１１との間に間隔をあけて形成されているため、カップは優れた断熱効果を有する。従って、カップに熱い飲料 (５０℃以上)が入っているときに、使用者は火傷することなく、安全にカップを持つことができる。
３．突起２２が規則的に千鳥格子状に配置されているため、カップの外観を多様に変化させることができる。更に、囲繞薄板片２０を様々な印刷方法によって印刷することができるため、使用者の異なるニーズに応えることができる。
４．囲繞薄板片２０を周壁１１の外面周りに取り付けることによって、カップの構造強度を向上することができ、カップが湿ったり変形するのを防止できる。
【００１６】
以上、本考案のさまざまな技術的特徴及び効果について、考案の詳細な構造及び機能と共に説明した。しかし、これらは例示に過ぎず、本考案の詳細については変更することができる。特に、形状、寸法、及び部品の配置については、本考案の範囲を逸脱しない限り、実用新案登録請求の範囲に用いられている用語の広義の意味において最大限に変更することができる。
【図１】
0003201121.tif 000003
【図２】
0003201121.tif 000004
【図３】
0003201121.tif 000005
【図４】
0003201121.tif 000006
【図５】
0003201121.tif 000007